(57)【要約】      （修正有）【課題】居間など広い場所でのロールペーパーの使用を図り、左右両側への引出し切断を可能とし利便性を向上させたロールペーパー双対切断装置を提供する。【解決手段】ペーパーの滑らかな引出しを可能とするペーパーロール保持具３０を備え、一端にカッター１３，１４と他端にストッパー１５，１６と中間部に回動手段１１，１２が設けられた切断板９，１０およびペーパーの流出方向を変える転向軸７，８が設けられ、ペーパーが引き込まれ切断されると同時に掴み代となるペーパー端２６が垂下露出する一対の切断装置２８，２９が、ペーパーをはさむ左右対称的な位置に配設されてなる双対切断装置３１を備えることにより、左右どちら方向への引出し切断においてもペーパー端２６が同様に垂下露出するようにした。【選択図】図５
2015043850.tif 000002
【特許請求の範囲】
【請求項１】
ペーパーの滑らかな引出しを可能とするペーパーロールの保持具を備え、
一端にカッターと他端にストッパーと中間部に回動手段が設けられた切断板およびペーパーの流出方向を変える転向軸が設けられ、ペーパーが引き込まれ切断されると同時に掴み代となるペーパー端が垂下露出する一対の切断装置が、ペーパーをはさむ左右対称的な位置に配設されてなる双対切断装置を備え、
左右どちら方向への引出し切断においてもペーパー端が同様に垂下露出することを特徴とするロールペーパー双対切断装置
【請求項２】
前記切断板の内面にストッパー受けを設けたことを特徴とする請求項１のロールペーパー双対切断装置
【請求項３】
前記ストッパーの先端部はペーパーとの摩擦が大きいことを特徴とする請求項１のロールペーパー双対切断装置
【発明の詳細な説明】
【技術分野】
【０００１】
本発明は、ロールペーパーの引出し切断に係わる装置に関する。
【背景技術】
【０００２】
従来、ロールペーパーの保持及び切断装置の殆どは、厠において壁面に取り付けられ、壁面に対して垂直方向に引き出されて使用されている。
【０００３】
ロールペーパー保持及び切断装置として、下記に示す特許文献１(特開２００３−４７３)、特許文献２(特開２０１２−１５８３７４)などがある。これらは、ペーパーの切断を容易に確実にするものであり、また切断後の掴み代を確保しようとするものでもある。
前者(特開２００３−４７３)は、蓋の先端に突き出したカッターにペーパーを絡ませて上方向に引くと、ペーパーの繰り出しが阻止され切断を確実にしている。また、切断と同時に「引きしろ」(該特許での呼称、掴み代)が形成されるが、「引きしろ」は手前に突き出たカッターの奥に垂れ下がる。これは、使用者に危険な感じを与えることが危惧される。
【０００４】
後者(特開２０１２−１５８３７４)の発明者は本願発明者であり、今のところ未公開である。この発明の切断装置は、本願発明に採用されているので、この発明に基づく設計例を示して概要を述べる。
【０００５】
図１、図２は、特許文献２に基づく設計例である。
図１は側断面図で、ペーパーの滑らかな引出しが可能となるようにペーパーロールを支持する保持具１１１と、ペーパーが引出され切断されると同時に掴み代が露出する切断装置１２０とから成っている。
ここに示した保持具１１１は、壁面等に固定する右側板１１４にペーパーロール支持軸１１２を片持ち梁状に固定したもので、ペーパーロール１００(図１では仮想線、網掛け)の穴を挿入して用いられる。
【０００６】
図１のように、ペーパーロール１００から引き出されたペーパー１０１(仮想線:二点鎖線)は、ストッパー受け１３０の外側(図１での右側)を通り、A幅板１２２、転向軸１２９の内側(図１では左側)を通って垂下し露出している。
ペーパー１０１の引出し抵抗が、ヘーパー１０１をカッター１２５に絡ませることが可能な程度に大きければ、ペーパー１０１をストッパー受け１３０の内側(図１では左側)を通過させても良く、この場合には初期セットがやや容易になる。
【０００７】
B幅板１２３は、A幅板１２２、と共に右側板１１４と左側板１２１(断面図のため左側板１２１は一部のみが仮想線で描かれている)を連結固定し、切断装置１２０の骨格を構成している。切断板軸１２６及び切断板ボス１２７によって回動自在に支持された切断板１２４の下部にはカッター１２５が、上部にはストッパー１２８が設けられ、ストッパー１２８の内面にはペーパーとの摩擦が大きい素材が貼り付けられている。１０２は露出しているペーパー端である。
【０００８】
機能について概説する。
図２に示すように、垂下していたペーパー端１０２を掴み、必要な長さのペーパー１０１を引出した後、ほぼ水平方向へ引きペーパー１０１とカッター１２５を絡ませて更に上方向寄りに引く。ストッパー(摩擦材)１２８がストッパー受け１３０に当接すると、それ以上のペーパーは引出し得ない。その状態で斜め横方向に引くとペーパーは容易に切断される。
「斜め横方向に引く」とは、ペーパーの全幅を一度に切断するのではなく、挟みや物差しで卓上に押し付けた紙を切るように、右または左の端から順に切ることを意味している。
切断されると同時に切断板１２４など（カッター１２５、ストッパー１２８、切断板ボス１２７を含む）は元の位置に戻り、カッター１２５は転向軸１２９に近接した位置に復帰する。また、図１のように、掴み代であるペーパー端１０２が露出し垂下する。
【先行技術文献】
【特許文献】
【０００９】
【特許文献１】特開２００３−４７３
【特許文献２】特開２０１２−１５８３７４
【発明の概要】
【発明が解決しようとする課題】
【００１０】
従来、厠で使うことが主であったロールペーパー保持切断装置を、居間等の広い部屋の壁や柱に取り付けたり、支柱を用いて卓上に置く事を考え、左右双方向からの引出し切断を可能にする。このことで、利便性の向上と用途の拡大を図る。
掴み代が確保され、双方向からの引出し切断が可能なロールペーパー保持切断装置は未だ見られない。
【課題を解決するための手段】
【００１１】
請求項１に示すように、
ペーパーの滑らかな引出しを可能とするペーパーロールの保持具を備え、
一端にカッターと他端にストッパーと中間部に回動手段が設けられた切断板およびペーパーの流出方向を変える転向軸が設けられ、ペーパーが引き込まれ切断されると同時に掴み代となるペーパー端が垂下露出する一対の切断装置が、ペーパーをはさむ左右対称的な位置に配設されてなる双対切断装置を備え、
左右どちら方向への引出し切断においてもペーパー端が同様に垂下露出することを特徴とするロールペーパー双対切断装置
【００１２】
請求項２に示すように、
前記切断板の内面にストッパー受けを設けたことを特徴とする請求項１のロールペーパー双対切断装置
【００１３】
請求項３に示すように、
前記ストッパーの先端部はペーパーとの摩擦が大きいことを特徴とする請求項１のロールペーパー双対切断装置
【発明の効果】
【００１４】
本発明のロールペーパー双対切断装置は、左右どちらの方向からでも引出し切断が可能で、居間など広い空間での使用に便利である。切断後は引出しに必要な掴み代が垂下して露出するので、次回の引出しは容易である。また，利用者自身が使用するペーパー片以外には触れる必要がなく衛生的である。構造は簡単である。
ロールペーパーの利便性を向上させ、用途の拡大を図る効果がある。
【図面の簡単な説明】
【００１５】
図１と図２は特許文献２に基づく設計例の説明図。
【図１】保持具と切断装置一体型の側断面図。
【図２】図１の切断装置の切断機能を説明する図。図３から図１１は本発明の実施例などの説明図。
【図３】実施例の斜視図(一部断面図、ペーパーロールは仮想線、網掛け)
【図４】平面図。図の下側が前面。
【図５】図４のA−A断面図。
【図６】(a)切断板９、１０の斜視図(両者は同じ)。(b)ローラ３３を組み込んだストッパー。(c)カッター１３、１４の歯底Eの拡大図。
【図７】左側面図(一部断面図)。
【図８】右方向への引出し切断の説明図。（ａ）通常状態。(b)引出し中。(c)右切断板１０が回動し、右ストッパー１６が左ストッパー受け１７に当接。(d)切断直前の状態。
【図９】左方向への引出し切断の説明図。
【図１０】基板１と前面板２に固定されたストッパー受け軸１７a、１８a。
【図１１】ストッパー１５、１６の内面に貼付した摩擦材１５a、１６a。
【発明を実施するための形態】
【００１６】
本発明のロールペーパー双対切断装置は、特許文献２に示されている、「切断後に掴み代が形成される切断装置」を、ペーパーを挟んで対象的に一対配設したものである。
【実施例】
【００１７】
本明細書では、左右対称になった要素が多くある。例えば、左カッター１３と右カッター１４などである。これらを単独で表すときには略さないが、両者を同時に表す時には、カッター１３，１４の様にカッターの文字一つと左右の文言を省略する簡単な表記にすることがある。
【００１８】
実施例を図３について述べる。
図３は左前方から見た斜視図である。図３の上方部分がロールペーパー保持具３０、下方部分が双対切断装置３１である。双対切断装置３１は、左切断装置２８、及び右切断装置２９などから成り立っている。
通常は壁などに固定して用いられる基板１に、ロール支持軸２２と蓋軸２０が片持ち梁様に固定されている。ロール支持軸２２にはペーパーロール２４(仮想線、網掛け)が、蓋軸２０には蓋１９が回動自在に嵌合されている。各々の軸端にはロール抜け止め２３(固着)、蓋抜け止め２１(止めねじ２１a)が設けられている。
【００１９】
下方に位置する双対切断装置３１の枠組み(骨格)は、基板１と前面板２を上幅板３、左幅板４および右幅板５(図５参照)に依って連結固定して構成されている。
基板１と前面板２の間には、左切断装置２８、右切断装置２９が組み込まれている。
切断装置２８，２９は夫々、先端にストッパー１５、１６と他端にカッター１３，１４と中央部に回動軸１１，１２等を設けた「くの字」状に曲折した切断板９．１０及びペーパーの流出方向を変える転向軸７，８で構成されている。「くの字」状の曲折は設計によっては必要でない場合もある。
６はペーパー２５(図５参照)を双対切断装置３１の中央へ導く案内軸であって、基板１と前面板２に固定または回動可能に取り付けられている。案内軸６は設計によっては無くても良い。
【００２０】
図４は平面図で図の下側が前面となる。ペーパーロール２４は仮想線(網掛け)で示されている。
基板１と前面板２の間隔は、ペーパーロール２４の幅(多くの場合、114mm)より少し大きい。図４の２１aは蓋軸２０の先端の蓋抜け止め２１を固定するねじである。
【００２１】
図５は図４に示したA−A断面図である。断面形状がほぼ矩形の上幅板３、左幅板４、右幅板５が示されている。これらは何れも基板１と前面板２に固定されている。中央上部には案内軸６が示されている。ただし、案内軸６は回動可能なローラであつてもよい。
【００２２】
左切断装置２８は、「くの字」に曲折した左切断板９と左転向軸７で構成され、右切断装置２９は、「くの字」に曲折した右切断板１０と右転向軸８とで構成されている。なお、既述のように切断板９、１０の一端にはストッパー１５、１６が、他端にはカッター１３、１４がある。
切断板９、１０の回動軸１１、１２は基板１と前面板２に回動自在に支持されている。軸が固定され切断板９、１０のボスが回動するタイプでも良い。
転向軸７、８は何れも基板１と前面板２の間に支持されているが、回転可能なローラであっても良い。
切断板９，１０の詳細図は図６に示されている。
【００２３】
図６(a)は切断板９，１０の斜視図を示している。左切断板９、右切断板１０は同じであるが、対称的に取り付けられている。
図５に示されていたように、対向する２つの切断板９、１０の間をペーパー２５が垂下している。
この実施例では、ストッパー１５、１６のペーパー２５と接触する内面の摩擦は少ないほうが良いとしている。これは、図８、図９に示すように、ストッパー１５、１６がペーパー２５と接触してからも、ストッパー受け１８、１７に当接するまでの間、ペーパー２５が、更に引き出される(相対的に滑りが生じる)からである。
このため、図６(b)に示すように、ストッパーの先端部はローラ軸３２で支持されるローラ３３としても良い。
この実施例において、ストッパー１５、１６が当接する相手であるストッパー受け１７，１８は対向する切断板の内面に一体に形成されている。
左ストッパー１５は右切断板１０に設けられた右ストッパー受け１８と,ペーパー２５を挟んで当接し、右ストッパー１６は左切断板９に設けられた左ストッパー受け１７と,ペーパー２５を挟んで当接する。
ストッパー受け１７、１８は切断板９、１０の内面を膨らませて形成され、その表面にペーパー２５との摩擦が大きな摩擦材を貼付しても良い。
ペーパーの引出し抵抗や切断板９、１０の内面の摩擦の程度によっては、切断板９，１０の内表面を膨らませたストッパー受け１７、１８を設けなくても良く、また摩擦材の貼付も無くても良い。
ストッパー受けに代わる方法については、図１０、図１１を用いて説明する。
【００２４】
図６(c)はカッター１３、１４の歯部の拡大図である。鋸歯状とか三角状の歯底が鋭角の歯形では、切断後のペーパー端の先端が歯の底に絡み離れ難く、垂下しないことがある。このため、拡大図のように、歯底Eを丸く円弧状にするか平らにするのが良い。
カッター１３，１４の材質は金属に限らず、樹脂や木材であっても良い。切り口の美しい切断を求めれば金属や硬質樹脂製が、安全性からは木材や軟質樹脂製の鈍な形状の歯形が良い。
本発明での試作実験では、3mm厚さの木材にピッチ５mmの歯形を加工したカッターで、容認できる程度に美しい切り口と切り易さが得られた。
【００２５】
図７は左側面図(一部断面図)である。図の左側が壁や柱に取り付けられる基板１である。ペーパーロール２４(網掛け)、ペーパー２５、ペーパー端２６は仮想線で描かれている。
【００２６】
図８は右に引き出して切断する様子を示し、使用法、機能を説明している。
図８(a)は通常の待機(初期)状態である。
図８(b)はペーパー２５を矢印２７aの方向に引出している。右切断板１０とペーパー２５は未だ絡んでいない。
図８(c)は、矢印２７bの方向、水平よりやや上向きに引き出し、ペーパー２５と右カッター１４を絡ませて、右切断板１０を回動させている。右ストッパー１６は左ストッパー受け１７にペーパー２５を挟んで当接している。
図８(d)は、更に上向き(矢印２７c)方向へ引き、切断しようとするところである。
切断後は、図８(a)の状態に復帰する。復帰は重力であっても、弾性体(ばねなど)や磁石を利用しても良い。
【００２７】
図９は左に引き出して切断している様子を示すが、図８の右側へ引き出す場合と相似であり新規なことがらはない。
図９(a)は図８(c)に対応する図で、引出し方向は矢印２７dである。
図９(b)は図８(d)に対応する図で、ペーパー２５を矢印２７eの方向に引き、切断しようとしている。
既述ではあるが、ペーパー２５の切断は、紙をはさみで切る場合や定規で紙をテーブルに押し付けて切るときのように、ペーパーの全幅を一度に切りのではなく、端から徐々に引き切るようにするとよい。
【００２８】
図１０は切断板９、１０の内面に一体状に設けられているストッパー受け１７、１８に替えて、独立したストッパー軸１７a、１８aを設けた場合である。
ペーパー２５はこれら両ストッパー軸１７a、１８aの間を通って垂下している。従って、ストッパー１５、１６がストッパー軸１７a、１８aに当接してもペーパー２５を挟まないので引出し抵抗は増加しない。しかし、ストッパー１５，１６がストッパー軸１５a、１６aに当接する時には、カッター１３、１４とペーパー２５は絡んでおり容易に切断できる。
しかし、図１０の矢印２７fで示される保持具３０からの引出し抵抗は、ペーパー２５をカッター１３、１４に絡ませ、切断板９、１０を回動させるに必要な大きさであることが必要である。ペーパーロールの保持具が摩擦の大きな容器型である場合や、蓋１９の自重を調整するなどで、必要な引出し抵抗を得ることができる。
但し、この方法では、初期セットの際、２つのストッパー軸１７aと１８aの狭い間隙にペーパー２５を挿通させる必要があり通し難い感じは否めない。
【００２９】
図１１はストッパー受け等が無い場合であり、右方向に引き出している場合について示している。
ストッパー受け１７、１８やストッパー軸１７a、１８aの様なストッパー１５、１６を受け止める要素は設けられていない。代わりに、ストッパー１５、１６の内面から先端面に亘る角部のペーパー２５が接触する位置に摩擦材１５a、１６aが貼付されている。
ペーパーを矢印２７hの様に引き出す時、保持具３０からの引出し抵抗(矢印２７g)がある程度大きければ、案内軸６と転向軸８の間のペーパー２５は緊張状態になる。そこへ摩擦材１６aが貼付されたストッパー１６が押し付けられるとペーパー端の引出し抵抗(矢印２７h)は２７gより大きく、切断に必要十分な大きさとなる。
矢印２７iは切断時に引く方向である。
ストッパー１５、１６の素材による摩擦が大きければ、摩擦材１５a、１６aの貼付は必要ない。
【００３０】
以上、ストッパー受け等について種々の方法を示した。しかし、安定した確実な使用にはストッパー受け１７、１８が最適である。
「簡単な機構を求める」、「摩擦を考慮した素材の使用」が可能な場合にはストッパー受け等も「摩擦材の貼付」も不要で設計の問題として選択し解決できる。
【符号の説明】
【００３１】
１            基板
２            前面板
３、４、５    上、左、右幅板
６            案内軸
７、８        左、右転向軸
９、１０      左、右切断板
１１、１２    左、右回動軸
１３、１４    左、右カッター
１５、１６    左、右ストッパー
１７、１８    左、右ストッパー受け
１７a、１８a  左、右ストッパー軸
１５a、１６a  摩擦材
１９          蓋
２２          ロール支持軸
２７          ペーパーロール
２８，２９    左、右切断装置
２６          ペーパー端
３０          保持具
３１          双対切断装置
３３          ローラ
【図１】
2015043850.tif 000003
【図２】
2015043850.tif 000004
【図３】
2015043850.tif 000005
【図４】
2015043850.tif 000006
【図５】
2015043850.tif 000007
【図６】
2015043850.tif 000008
【図７】
2015043850.tif 000009
【図８】
2015043850.tif 000010
【図９】
2015043850.tif 000011
【図１０】
2015043850.tif 000012
【図１１】
2015043850.tif 000013